(57)【要約】【課題】電線の使用状況管理と在庫管理とを自動化する。【解決手段】複数の制御器が組込まれた制御盤を製造するに際して必要な各機器相互間を接続する電線の使用状況を管理する電線使用管理装置１において、電線の種別と在庫量とを記憶する電線在庫ファイル４と、電線加工指示情報が入力される毎に電線加工指示を外部へ出力する電線加工指示手段９と、各電線加工指示に含まれる電線の種別と使用量との実績を記憶する電線使用実績ファイル６と、各電線加工指示に含まれる電線の種別と使用量とを手配情報として記憶する電線手配情報ファイル７と、電線在庫ファイルの在庫量が予め定めた規定量以下になると電線手配情報ファイルに記憶されている手配情報に基づいて電線の手配を外部へ発注する電線自動発注手段１４と、電線在庫ファイル及び電線使用実績ファイルの記憶内容を表示出力する管理情報表示出力手段１３とを備えている。【選択図】　　図１
2004021800.tif 000002
【特許請求の範囲】
【請求項１】
複数の制御器が組込まれた制御盤を製造するに際して必要な各機器相互間を接続する電線の使用状況を管理する電線使用管理装置において、
現在時点で在庫している電線の種別と在庫量とを記憶する電線在庫ファイルと、
外部から電線加工指示情報が入力される毎にこの電線加工指示情報に基づいて電線加工指示を外部へ出力する電線加工指示手段と、
前記出力される各電線加工指示に含まれる電線の種別と使用量との実績を記憶する電線使用実績ファイルと、
前記出力される各電線加工指示に含まれる電線の種別と使用量とを手配情報として記憶する電線手配情報ファイルと、
前記電線在庫ファイルの在庫量が予め定めた規定量以下になると前記電線手配情報ファイルに記憶されている手配情報に基づいて電線の手配を外部へ発注する電線自動発注手段と、
入力された表示要求に応じて少なくとも前記電線在庫ファイル及び前記電線使用実績ファイルの記憶内容を表示出力する管理情報表示出力手段と
を備えたことを特徴とする電線使用管理装置。
【請求項２】
前記管理情報表示手段は、前記電線使用実績ファイルの記憶内容を予め定められた期間集計して表示出力することを特徴とする請求項１記載の電線使用管理装置。
【請求項３】
複数の制御器が組込まれた制御盤を製造するに際して必要な各機器相互間を接続する電線の使用状況を管理する電線使用管理装置に組込まれた電線使用管理プログラムにおいて、
コンピュータを、
外部から電線加工指示情報が入力される毎にこの電線加工指示情報に基づいて電線加工指示を外部へ出力する電線加工指示手段と、
前記出力される各電線加工指示に含まれる電線の種別と使用量との実績を電線使用実績ファイルに書込む電線使用実績記憶保持手段と、
前記出力される各電線加工指示に含まれる電線の種別と使用量とを手配情報として電線手配情報ファイルに書込む電線手配情報憶保持手段と、
現在時点で在庫している電線の種別と在庫量とを記憶する電線在庫ファイルの在庫量が予め定めた規定量以下になると前記電線手配情報ファイルに記憶されている手配情報に基づいて電線の手配を外部へ発注する電線自動発注手段と、
入力された表示要求に応じて少なくとも前記電線在庫ファイル及び前記電線使用実績ファイルの記憶内容を表示出力する管理情報表示出力手段と
として機能させるための電線使用管理プログラム。
【発明の詳細な説明】
【０００１】
【発明の属する技術分野】
本発明は、複数の制御器が組込まれた制御盤を製造するに際して必要な各機器相互間を接続する電線の使用状況を管理する電線使用管理装置、及びこの電線使用管理装置に組込まれた電線使用管理プログラムに関する。
【０００２】
【従来の技術】
一般に工場内においては多数の機器が設置されている。そして、各機器の動作を制御する制御器は各機器の隣接位置ではなくて、操作員や監視員が常駐する工場管理室や監視制御室内に設置された制御盤内に組込まれている。したがって、１つの制御盤内には、この工場内に設置された各機器に接続された多数の制御器が組込まれている。この制御盤内に組込まれた各制御器は制御盤外の制御対象の各機器に接続されるとともに、各機器に対する制御を実施するために他の機器の制御状態を把握する。このために、制御盤内に組込まれた各制御器どうしは信号の授受を行っている。
【０００３】
したがって、各制御器に対する駆動電源の供給線も含めて、制御盤内には夥しい数の電線が配線されている。この制御盤内に配線される各電線は、この電線内を流れる電流（信号）の種類によって、電線の色、電線のサイズ（太さ）が規定されている。
【０００４】
したがって、このような、多数の制御器及び多種、多様の電線が配線された制御盤を製造する場合、制御器は勿論のこと、多種、多様の電線を予め準備しておく必要がある。具体的には、先ず、制御盤の仕様書を参照して、指定された色、サイズ（太さ）の電線を配線経路の長さに切断して、両端に端子を接続し、信号を特定するリング状のラベルを取付ける電線加工を実施する。次に、制御盤に各制御器を取付ける。そして、各制御器が取付けられた制御盤に対して電線加工された各電線を配線する。
【０００５】
【発明が解決しようとする課題】
上述したように、一つの制御盤を製造するためには、多種、多様の電線が必要である。一般に、制御盤は工場における各機器の設置状況に応じた受注生産であるので、制御盤毎に電線の配線仕様が異なる。したがって、制御盤毎に必要とする電線の種別と量（長さ）とを予め正確に予想することが困難であった。
【０００６】
そのため、従来、電線の使用状況、在庫量、及び補充管理は熟練の管理者の勘と経験に頼って実施されてきた。このように、電線の管理を熟練の管理者の勘と経験に頼って実施してきたので、誤って、特定の種別の電線の在庫が不足して制御盤の製造に支障を来たしたり、特定の種別の電線の在庫が異常に増加する問題が生じていた。また、誤った種別の電線を補充する人為的ミスの発生が懸念される。
【０００７】
本発明は、このような事情に鑑みてなされたものであり、入力された電線加工指示情報に含まれる電線の種別と使用量との実績を記憶保持することにより、電線の正確な在庫管理と電線の補充管理とを自動的に実施でき、制御盤の製造を円滑に実施できる電線使用管理装置、及びこの電線使用管理装置に組込まれた電線使用管理プログラムを提供することを目的とする。
【０００８】
【課題を解決するための手段】
上記課題を解消するために、本発明は、複数の制御器が組込まれた制御盤を製造するに際して必要な各機器相互間を接続する電線の使用状況を管理する電線使用管理装置において、
現在時点で在庫している電線の種別と在庫量とを記憶する電線在庫ファイルと、外部から電線加工指示情報が入力される毎にこの電線加工指示情報に基づいて電線加工指示を外部へ出力する電線加工指示手段と、出力される各電線加工指示に含まれる電線の種別と使用量との実績を記憶する電線使用実績ファイルと、出力される各電線加工指示に含まれる電線の種別と使用量とを手配情報として記憶する電線手配情報ファイルと、電線在庫ファイルの在庫量が予め定めた規定量以下になると電線手配情報ファイルに記憶されている手配情報に基づいて電線の手配を外部へ発注する電線自動発注手段と、入力された表示要求に応じて少なくとも電線在庫ファイル及び電線使用実績ファイルの記憶内容を表示出力する管理情報表示出力手段とを備えている。
【０００９】
このように構成された電線使用管理装置においては、外部から一つの制御盤内を配線すべき各電線に対する電線加工指示情報が入力される毎に、この電線加工指示情報に含まれる電線の種別と使用量との実績が電線使用実績ファイルへ書込まれる。同時に、電線の種別と使用量とが電線手配情報ファイルへ書込まれる。そして、電線在庫ファイルの在庫量が規定量以下になると自動的に電線手配情報ファイルに記憶されている手配情報に基づいて電線の手配が実施される。したがって、電線の正確な在庫管理と電線の補充管理とを自動的に実施できる。
【００１０】
また、別の発明は、上述した発明の電線使用管理装置おける管理情報表示手段は、電線使用実績ファイルの記憶内容を予め定められた期間集計して表示出力する。
【００１１】
このように構成された電線使用管理装置においては、一つの電線加工指示が入力される毎に時系列的に電線使用実績ファイルに記憶された電線の種別と使用量との実績は、例えば１月分集計されて表示出力される。その結果、この電線使用管理装置の管理者は、より的確に電線の使用実績を把握できる。
【００１２】
さらに別の発明は、複数の制御器が組込まれた制御盤を製造するに際して必要な各機器相互間を接続する電線の使用状況を管理する電線使用管理装置に組込まれた電線使用管理プログラムである。
【００１３】
そして、この電線使用管理プログラムは、コンピュータを、
外部から電線加工指示情報が入力される毎にこの電線加工指示情報に基づいて電線加工指示を外部へ出力する電線加工指示手段と、出力される各電線加工指示に含まれる電線の種別と使用量との実績を電線使用実績ファイルに書込む電線使用実績記憶保持手段と、出力される各電線加工指示に含まれる電線の種別と使用量とを手配情報として電線手配情報ファイルに書込む電線手配情報憶保持手段と、現在時点で在庫している電線の種別と在庫量とを記憶する電線在庫ファイルの在庫量が予め定めた規定量以下になると電線手配情報ファイルに記憶されている手配情報に基づいて電線の手配を外部へ発注する電線自動発注手段と、入力された表示要求に応じて少なくとも電線在庫ファイル及び電線使用実績ファイルの記憶内容を表示出力する管理情報表示出力手段として機能させる。
【００１４】
このように構成された電線使用管理プログラムにおいても、上述した発明の電線使用管理装置とほぼ同様の作用効果を奏する事が可能である。
【００１５】
【発明の実施の形態】
以下、本発明の一実施形態を図面を用いて説明する。
図１は電線使用管理プログラムが組込まれた電線使用管理装置の概略構成を示すブロック図である。この電線使用管理装置１は例えば制御盤を製造する製造工場の管理室内に設けられている。コンピュータ等の一種の情報処理装置で形成された電線使用管理装置１内には、例えばキーボード等で形成された入力部２、ＣＲＴ表示装置で形成された表示器３、電線在庫ファイル４、電線加工指示情報ファイル５、電線使用実績ファイル６、電線手配情報ファイル７等が設けられている。なお、各上述した各ファイル４、５、６、７は例えばＨＤＤ等の記憶装置内に形成されている。
【００１６】
前記電線在庫ファイル４内には、図２（ａ）に示すように、この制御盤の製造工場において現在時点で在庫している電線の種別と在庫量とが記憶されている。具体的には、電線の種別を特定する電線番号毎に、「黄」「赤」「黒」の色、直径が２．０ｍｍ、３．５ｍｍ、５．５ｍｍのサイズ、及び長さ（ｍ）で示した在庫量が記憶されている。
【００１７】
電線加工指示情報ファイル５内には、図２（ｂ）に示すように、外部から入力部２を介してこの電線使用管理装置１内に入力された、一つの制御盤に対する配線を実施するに必要な配線仕様書から得られる電線加工指示情報が一時的に格納される。この電線加工指示情報には、一つの制御盤に対する配線に必要な各電線の電線番号、色、サイズ、必要長さ、配線経路等が含まれる。
【００１８】
電線使用実績ファイル６内には、図２（ｃ）に示すように、外部から入力された各電線加工指示情報に含まれる電線の種別（電線番号、色、サイズ）と長さで示される使用量の実績が、実際に使用された日付が付されて、時系列的に記憶されている。
【００１９】
電線手配情報ファイル７内には、図３に示すように、外部から入力された各電線加工指示情報に含まれる電線の種別（電線番号、色、サイズ）と長さで示される使用量が電線手配情報として、電線の種別毎に累積されて記憶されている。
【００２０】
図１に示す電線使用管理装置１内には、上述した入力部２、表示器３、及び各ファイル４、５、６、７の他に、アプリケーションプログラムである上述した電線使用管理プログラム内に形成された電線加工指示取込部８、外部の電線加工機１０へ電線加工指示を送出する電線加工指示部９、在庫減量部１１、手配情報書込部１２、表示指示部１３、外部の電線製造工場１５へ電線の手配を自動発注する電線自動発注部１４、及び在庫積増部１６等が形成されている。
【００２１】
前記電線加工機１０は、電線加工指示部９からの電線加工指示に基づいて、指定された色、サイズ（太さ）の電線を配線経路の長さに切断して、両端に端子を接続し、信号を特定するリング状のラベルを取付ける電線加工を実施する。
【００２２】
そして、上述した各部８〜１６は図５の流れ図に従って電線に対する管理処理を実施するようにプログラム構成されている。
【００２３】
この電線使用管理装置１の管理者からキーボードからなる入力部２を介して何等かの情報が入力されると（Ｓ１）、この情報の種別を判断する。この入力情報が一つの制御盤に対する配線を実施するに必要な電線加工指示情報の場合（Ｓ２）、電線加工指示取込部８が起動して、入力した電線加工指示情報を図２（ａ）に示す電線加工指示情報ファイル５へ格納する（Ｓ３）。次に、電線加工指示部９が起動して、電線加工指示情報ファイル５に記憶された一つの制御盤に対する配線に必要な各電線の電線番号、色、サイズ、必要長さ、配線経路等の電線加工指示情報を付した電線加工指示を外部の電線加工機１０へ送出する（Ｓ４）。電線加工機１０は電線加工指示部９からの電線加工指示に基づいて前述した電線加工を実施する。
【００２４】
次に、電線加工指示に含まれる各電線の種別（電線番号、色、サイズ）、必要長さ（使用長さ）を使用実績として、図２（ｃ）の電線使用実績ファイル６に現在の日付を付して新規領域に時系列的に書込む（Ｓ５）。さらに、在庫減量部１１が起動して図２（ａ）の電線在庫ファイル４の電線加工指示に含まれる各電線種別（電線番号、色、サイズ）の在庫量（長さ）を使用長さ分だけ減量する（Ｓ６）。手配情報書込部１２が起動して、図３に示す電線手配情報ファイル７における電線加工指示に含まれる各電線の種別（電線番号、色、サイズ）の使用量（長さ）を増量する。なお、この電線手配情報ファイル７に対応する電線の種別（電線番号、色、サイズ）が記憶されていなかった場合は、この電線手配情報ファイル７に新規に書込む（Ｓ７）。以上で、入力された一つの制御盤に対する電線加工指示情報に対する処理が終了したので、電線加工指示情報ファイル５の記憶内容をクリアする（Ｓ８）。
【００２５】
そして、電線在庫ファイル４内に、在庫量が予め設定された規定量（長さ）以下に低下した電線の種別（電線番号、色、サイズ）が存在するか否かを判定して（Ｓ９）、在庫量が予め設定された規定量（長さ）以下に低下した電線の種別（電線番号、色、サイズ）が存在する場合は、電線自動発注部１４が起動する。電線自動発注部１４は、電線手配情報ファイル７に累積されている全部の電線の種別（電線番号、色、サイズ）に対する使用量を発注量として外部の電線製造工場１５へ電線の発注を実施する（Ｓ１０）。その後、電線手配情報ファイル７の記憶内容をクリアする（Ｓ１１）。
【００２６】
Ｓ１２にて、入力部２から入力された情報が、新規の電線の入荷情報の場合は、在庫積増部１６が起動して、電線情報ファイル４の入荷情報が指定する電線の種別（電線番号、色、サイズ）の在庫量を入荷情報が指定した量だけ増加する（Ｓ１３）。
【００２７】
Ｓ１４にて、入力部２から入力された情報が、管理者が指示した表示指示の場合、表示指示部１３が起動して、電線使用実績ファイル６内に時系列的に記憶された日単位の電線の使用実績（電線種別、使用量）を月単位で集計する。具体的には、電線の種別毎に使用量を集計する（Ｓ１５）。そして、図４に示すように、表示器３に、電線使用実績ファイル６の時系列的な記憶内容を日単位表１７として、さらに、先に集計されたデータを月単位集計表１８として表示する。同時に、月単位集計表１８の各種別の在庫量１９、及び電線手配情報ファイル７に累積されている手配予定量（発注予定量）２０を同一画面上に表示する（Ｓ１６）。
【００２８】
このように構成された電線使用管理装置１においては、この電線使用管理装置１の管理者がキーボード等の入力部２を介して、一つの制御盤内を配線すべき各電線に対する電線の種別（電線番号、色、サイズ）と使用量（長さ）と電線経路とからなる電線加工指示情報が入力される毎に、この電線加工指示情報は一旦電線加工指示情報ファイル５に書込まれたのち、電線加工指示部９から外部の電線加工機１０へ電線加工指示として出力される。また、電線在庫ファイル４の在庫が自動的に更新される。
【００２９】
この電線加工指示に含まれる電線の種別と使用量との実績が電線使用実績ファイル６へ日付と共に時系列的に書込まれる。同時に、配線に含まれる電線の種別と使用量とが電線手配情報ファイル７へ書込まれる。
【００３０】
そして、電線在庫ファイル４に記憶されている複数種別の電線うちの一つの種別でも在庫量が規定量以下になると、自動的に電線手配情報ファイル７に記憶されている全部の電線の種別（電線番号、色、サイズ）に対する使用量を発注量として外部の電線製造工場１５へ発注される。
【００３１】
このように、一つの制御盤内を配線すべき各電線に対する電線加工指示情報が入力される毎に、電線在庫ファイル４の在庫が自動的に更新され、必要に応じて配線に使用された電線が補充される。したがって、各種電線の在庫管理、補充管理を人手で実施する必要がないので、管理者の負担を大幅に軽減できる。さらに、各種電線の在庫管理、補充管理が自動的に実施されるので、誤って、特定種別の電線の在庫が不足して制御盤の製造に支障を来したり、特定種別の電線の在庫が異常に増加する問題が生じたり、誤った種別の電線を補充する人為的ミスが発生することが防止され、制御盤の生産が円滑に進む。
【００３２】
さらに、図４に示すように、各電線の使用状況が時系列的な日単位表１７及び月単位集計表１８として表示器３に表示される。同時に、月単位集計表１８の各種別の在庫量１９及び手配予定量（発注予定量）２０も同一画面上に表示される。したがって、管理者は、各電線の使用状況及び在庫状況を即座に把握できる。
【００３３】
なお、本発明は上述した実施形態に限定されるものではない。例えば、図６に示すように、電線加工指示部９は、通信インタフェース（ＩＦ）２１を介してインターネット２２に接続された電線加工会社２３との間で通信回線を形成して、この電線加工会社２３へ電線加工指示を送信することが可能である。
【００３４】
また、実施形態における入力部２はキーボードで形成されており、管理者が制御盤の仕様書を参照しながら電線加工指示情報をキーボードでキー入力していた。しかし、制御盤の各制御器の配置及び各配線をＣＡＤで実施した場合においては、入力部２としてＣＡＤとの間でデータ送受信が可能な通信インタフェース（ＩＦ）を採用する。そして、ＣＡＤから直接電線加工指示情報を入力部２で受信することも可能である。このように、この電線使用管理装置１をＣＡＤに接続可能とすることにより、管理者の負担をより一層軽減できる。
【００３５】
【発明の効果】
以上説明したように、本発明の電線使用管理装置及びこの電線使用管理装置に組込まれた電線使用管理プログラムにおいては、入力された電線加工指示情報に含まれる電線の種別と使用量との実績を記憶保持して、在庫量に応じて自動的に電線を補充している。したがって、管理者の管理負担を大幅に軽減できるとともに、電線の正確な在庫管理と電線の補充管理とを自動的に実施でき、制御盤の製造を円滑に実施できる。
【図面の簡単な説明】
【図１】本発明の一実施形態に係わる電線使用管理装置の概略構成を示すブロック図
【図２】同実施形態の電線使用管理装置に組込まれた電線在庫ファイル、電線加工指示情報ファイル及び電線使用実績ファイルの記憶内容を示す図
【図３】同実施形態の電線使用管理装置に組込まれた電線手配情報ファイルの記憶内容を示す図
【図４】同実施形態の電線使用管理装置に組込まれた表示器の表示内容を示す図
【図５】同実施形態の電線使用管理装置の動作を示す流れ図
【図６】同実施形態の電線使用管理装置の変形例を示すブロック図
【符号の説明】
１…電線使用管理装置
２…入力部
３…表示器
４…電線在庫ファイル
５…電線加工指示情報ファイル
６…電線使用実績ファイル
７…電線手配情報ファイル
８…電線加工情報取込部
９…電線加工指示部
１０…電線加工機
１１…在庫減量部
１２…手配情報書込部
１３…表示指示部
１４…電線自動発注部
１５…電線製造工場
１６…在庫積増部
【図１】
2004021800.tif 000003
【図２】
2004021800.tif 000004
【図３】
2004021800.tif 000005
【図４】
2004021800.tif 000006
【図５】
2004021800.tif 000007
【図６】
2004021800.tif 000008